(57)【特許請求の範囲】
【請求項１】
乳幼児を寝かせた状態で拘束する拘束用ベルトを有する乳幼児用ベッドであって、上記拘束用ベルトは、一端がベッド本体に固定されるとともに、他端に第１バックルが設けられた第１拘束用ベルトと、先端部に上記第１バックルに係合する第２バックルが設けられるとともに、ベッド本体に引き出し可能に設けられた第２拘束用ベルトとを備え、上記第１拘束用ベルトのベッド本体への固定位置と、上記第２拘束用ベルトのベッド本体から引き出される引き出し位置との長さは、１７０ｍｍ〜２００ｍｍに設定されていることを特徴とする乳幼児用ベッド。
【請求項２】
前記拘束用ベルトが拘束時に所定のテンションを与えられていることを特徴とする請求項１記載の乳幼児用ベッド。
【請求項３】
前記ベッド本体が幅方向両端縁部に対して幅方向中央部が窪む湾曲を形成されていることを特徴とする請求項１または２記載の乳幼児用ベッド。
【請求項４】
前記ベッド本体が長さ方向端縁部付近に長さ方向への乳幼児の移動を拘束する拘束手段を備えたことを特徴とする請求項１〜３のいずれか１項記載の乳幼児用ベッド。
【請求項５】
前記拘束手段がクッション性部材でできていることを特徴とする請求項４記載の乳幼児用ベッド。
【請求項６】
前記拘束手段が前記ベッド本体上で展開可能に固定されていることを特徴とする請求項５記載の乳幼児用ベッド。
【発明の詳細な説明】
【０００１】
【発明の属する技術分野】
本発明は壁面に固定されていて使用時に展開して使う乳幼児用ベッドに関するものである。
【０００２】
【従来技術】
親などが乳幼児を連れて百貨店や民間施設、役所などへ出かけた際、そこの休息室やお手洗いを使用したり、乳幼児のおむつの交換をしたいときがある。このようなときは乳幼児を身体から離さなければならないが、狭い場所に設置できてしかも乳幼児を安全に保持できる乳幼児用ベッドが必要である。
従来のこの種のベッドは凹状のベッド収納部を有する収容枠のものであり、その凹状ベッド収納部にベッドを展開可能に枢着した構造となっているため、全体が大規模のものとなっていた。したがって、設置スペースが広くなければ設置できず、しかも取付け工事が面倒であり、コスト高となった。
そこで、ベッド全体を小型化し、設置スペースが狭い場所でも容易に設置でき、しかも取付け工事が簡便であり、コストを低減できる乳幼児用ベッドの開発が望まれていた。
【０００３】
本発明はこのような要求に応える乳幼児用ベッドに関するもので、設置スペースが狭いスペースの壁面に固定されて使用時に展開可能となるベッド本体自体は、既に本出願人が開発して、出願しているところである（特開平７−２５０７４３号公報）。
図７は本出願人が先に開発した壁面固定乳幼児用ベッドを示すもので、図７（ａ）は壁面固定の乳幼児用ベッドを閉じた未使用の状態を示し、図７（ｂ）は壁面固定の乳幼児用ベッドを展開して、使用している状態を示している。
未使用の時は図７（ａ）のように乳幼児用ベッド１を壁面に向けて折り畳み、これによって収納時の厚さは１０ｃｍ程度となり、トイレの個室内にも設置できる。また、使用時には、図７（ａ）のように乳幼児を抱いたままでも片手でベッド１’の展開ができるので、操作が簡単となる。図７（ｂ）のように乳幼児用ベッド１’を展開した後は、ベッド部２の上に乳幼児を乗せて、拘束用ベルト５’で乳幼児を拘束して、乳幼児のおむつの交換等を行うことができる。
図７（ｂ）において、６は壁面固定用枠である。このような小型の壁面固定用枠６を壁面に固定するだけでよいので、取付け工事が簡便となり、設置スペースが狭い場所でも容易に設置でき、しかもコストを低減できるものである。
【０００４】
図８〜図１２は図７の壁面固定の乳幼児用ベッドについて詳しく示す図で、図８は壁面固定乳幼児用ベッドの斜視図、図９は壁面固定乳幼児用ベッドの一部断面正面図、図１０は壁面固定乳幼児用ベッドの分解斜視図、図１１は図１０のヒンジ部の分解斜視図、図１２はベッドの展開状態（ａ）と非展開状態（ｂ）におけるヒンジ部付近の拡大断面図である。
図８において、１’が壁面固定型の従来の乳幼児用ベッドで、これはベッド本体３とベッド本体３を載置固定するベッド基台４とから成るベッド部２と、壁面に固定される壁面固定用枠６と、ベッド部２を壁面固定用枠６に展開可能に枢着するヒンジ部８とから成るものであって、ヒンジ部８をスプリング機能を有する蝶番で実現することによりベッド全体を小型化している。
【０００５】
ベッド本体３はウレタンフォーム等の緩衝材を充填発泡させたもので、幼児を安定して乗せるため、幅方向の両側縁側よりも幅方向中央部が低くなるよう湾曲を形成している。また、このベッド本体３の長さ方向中央部で幅方向両端縁部から、乳幼児の動きを拘束する拘束用ベルト５’が取付けられている。
【０００６】
ベッド基台４（図９、図１０）はこのベッド本体３を載置・固定するもので、合成樹脂等の硬質材で成形されている。２１（図１０）はこのベッド基台４の端部に縦長に形成したヒンジ取付け部であり、後述するヒンジ部８の枠体８０（図１１）を収容できる大きさの縦長の窪みとして形成するとともに、ヒンジ取付け部２１の底面には枠体８０をネジ止めするための底板２２を形成している。
【０００７】
ヒンジ部８は、図１１に示すように、断面コ字状に形成した枠体８０と、枠体８０の端部に展開可能に枢着した展開調整用カム８１と、この展開調整用カム８１の展開に応じて前後に摺動するスライダー８２と、このスライダー８２を展開調整用カムに常時圧接させるスプリング８３とによって構成されている。
枠体８０は金属板を下面を開放した断面コ字状に折り曲げ形成しており、そのコ字状に折り曲げた枠体８０の先端両側部にはベッド部２のヒンジ取付け部２１（図１０）にネジ止めするためのフランジ８４を外側方向にＬ字状に折り曲げ形成すると共に、壁面固定用枠６（図１０）の下面に接する部位の上面８５を開放し、壁面固定用枠６の両側下面に突設した腕板６１（図１０）が嵌挿できるよう構成している。
展開調整用カム８１は横長に形成したカム体の先端部のスライダー８２と接する側の端部を円弧状に形成してスライダー８２に対する押圧面８１ａとし、後端部８１ｂは、壁面固定用枠６（図１０）の両側下面に突設した腕板６１（図１０）に取付けネジ６３で固定される。また、展開調整用カム８１は枢軸８６を介して枠体８０に枢支されている。
スライダー８２は、合成樹脂を用いて形成し、枠体８０の内側寸法に一致する角形筒体として形成すると共に、筒体の内側に形成した円筒状の案内孔８２ａ（図１２）にスプリング８３を嵌挿している。
スプリング８３はスライダー８２の案内孔８２ａ（図１２）に嵌挿され、その先端部がスライダー内壁に当接し、その後端部が枠体８０の後端部に取付けた閉止板８７に当接して後退が規制されており、これによりスプリング８３の押圧力が生成さている。
【０００８】
壁面固定用枠６は、図７（ｂ）のようにお手洗い等の壁面に簡単に固定されるもので、断面コ字状の鋼材を用いて横長に形成するとともに、壁面固定用枠６の両側近くの下面には腕板６１（図１０）を突設している。断面コ字状の鋼材の長さはベッド部２の長さ方向の寸法に等しく、また、ベッド部２を展開可能に枢支できる強度を持っている。
【０００９】
以上のように、本出願人が先に開発した壁面固定の乳幼児用ベッド１’によれば、壁面固定の乳幼児用ベッド１’はベッド部２と、壁面に固定される壁面固定用枠６と、ベッド部２を壁面固定用枠６に展開可能に枢着するヒンジ部８とから成り、ヒンジ部８をスプリング機能を有する蝶番で実現することによりベッド全体を小型化することができた。
【００１０】
【発明が解決しようとする課題】
次に、このような乳幼児ベッドに設けられている拘束用ベルト５’について説明する。拘束用ベルト５’は図８および図９に示すようにベッド本体３の両端縁部から出ている。すなわち、一方の拘束用ベルト５’（図９の右側）はベッド本体３の右側裏に一端が固定され、裏側から右端部を経て表側に出され他端にバックル９（図８）の一方９１が取り付けられている。他方の拘束用ベルト５’（図９の左側）はベッド本体３の左側裏で一端が固定され、引っ張りバネなどの伸縮自在機構を介して他端にバックル９（図８）の一方９２が取り付けられている。
乳幼児の拘束時には、乳幼児をベッド本体３の中央に乗せ、バックル９２をつかんで引くと伸縮自在機構が延びて拘束用ベルト５’がベッド本体３の左側裏から引き出されるので、バックル９１と９２とを結合させればよい。幼児の拘束中は拘束用ベルト５’の一方に常時伸縮自在機構によりテンションかけられているので、乳幼児は拘束される。
【００１１】
ところがこのような拘束用ベルト５’で乳幼児を拘束しても、乳幼児は横方向へ移動することができることが判明した。
図３は、拘束用ベルト５’の場合横方向への移動が可能となる理由を説明する図である。図は拘束用ベルト５’がベッド本体３（実施の形態では湾曲板であるがここでは説明のため平板で描いている。）の両端縁部から出ているベッド本体３の上に乳幼児を拘束した状態を断面図で示すもので、（ａ）は乳幼児がベッド本体３の中央部に位置し、（ｂ）は乳幼児がベッド本体３の中央部から移動した状態を示している。図３（ａ）のように、ベッド本体３の中央部に乳幼児Ｂを乗せ、ベッド本体３の端縁部Ｅ２から出ている拘束用ベルト５２’を乳幼児の腹部Ｂに回して、拘束用ベルト５１’とバックル９で固定して乳幼児Ｂを拘束しても、乳幼児Ｂの腹と拘束用ベルト５１’とベッド本体３との間には大きな空間Ｓ１’が形成され、同じく乳幼児Ｂの腹と拘束用ベルト５２’とベッド本体３との間には大きな空間Ｓ２’が形成されるのがわかる。したがって、このような大きな空間Ｓ１’又はＳ２’があっては、図３（ｂ）のように、乳幼児Ｂが空間Ｓ１’又はＳ２’の方向（図ではＳ２’方向）へ距離Ｌ１まで横移動や寝返りが可能となる。したがってこのような場合、おむつ替えが困難なことがおきた。
【００１２】
本発明はこれを解決するもので、ベッド本体の中央部へ乳幼児を乗せて、拘束用ベルトでいったん拘束したら、もはや乳幼児は横移動も寝返りもできないようにして、おむつ替え等がスムーズに行えるようにすることにある。
【００１３】
【課題を解決するための手段】
上記の課題を解決するために、請求項１記載の発明は、乳幼児を寝かせた状態で拘束する拘束用ベルトを有する乳幼児用ベッドであって、上記拘束用ベルトは、一端がベッド本体に固定されるとともに、他端に第１バックルが設けられた第１拘束用ベルトと、先端部に上記第１バックルに係合する第２バックルが設けられるとともに、ベッド本体に引き出し可能に設けられた第２拘束用ベルトとを備え、上記第１拘束用ベルトのベッド本体への固定位置と、上記第２拘束用ベルトのベッド本体から引き出される引き出し位置との長さは、１７０ｍｍ〜２００ｍｍに設定されていることを特徴とする。
請求項２記載の発明は、請求項１記載の乳幼児用ベッドにおいて、前記拘束用ベルトが拘束時に所定のテンションを与えられていることを特徴とする。
請求項３記載の発明は、請求項１または２記載の乳幼児用ベッドにおいて、前記ベッド本体が幅方向両端縁部に対して幅方向中央部が窪む湾曲を形成されていることを特徴とする。
以上のように構成された拘束用ベルトを用いることにより、ベッドの中央部へ乳幼児を拘束したら、乳幼児はもう横移動も寝返りもできないようになり、おむつ替えがスムーズに行えるようになる。
【００１４】
請求項４記載の発明は、請求項１〜３のいずれか１項記載の乳幼児用ベッドにおいて、前記ベッド本体が長さ方向端縁部付近に長さ方向への乳幼児の移動を拘束する拘束手段を備えたことを特徴とする。
請求項５記載の発明は、請求項４記載の乳幼児用ベッドにおいて、前記拘束手段がクッション性部材でできていることを特徴とする。
請求項６記載の発明は、請求項５記載の乳幼児用ベッドにおいて、前記拘束手段が前記ベッド本体上で展開可能に固定されていることを特徴とする。
以上のように構成された拘束用ベルトおよびベッド本体を用いることにより、ベッドの中央部へ拘束された乳幼児は左右方向への移動が阻止されるばかりか、頭部方向への移動も阻止されるので、例え乳幼児が強く足で蹴り上げても頭が拘束手段につっかえて上へ進めず、したがってむおむつ替えがスムーズに行えるようになる。
【００１５】
【発明の実施の形態】
以下、本発明を図面を用いて説明する。
図１は本発明による乳幼児用ベッドの斜視図である。同図において、１が展開可能な壁面固定乳幼児用ベッドで、これはベッド本体３とこのベッド本体３を載置固定するベッド基台４とから成るベッド部２と、壁面に固定される壁面固定用枠６と、ベッド基台４を壁面固定用枠６に展開可能に枢着するヒンジ部８とから成るものである。ここまでの構成は図８〜図１２において説明した壁面固定乳幼児用ベッド１’の各構成部分と同じであるので、各構成部分の詳しい説明は省略する。
相違する点は、このような壁面固定乳幼児用ベッド１において、２本の拘束用ベルト５１、５２をベッド本体３の幅方向両端縁部からではなくて幅方向中央部と幅方向両端縁部との中間領域からそれぞれ出して、ベッドの中央部にてバックル９で結合する点である。
そして、２本の拘束用ベルト５１、５２のベッド本体３における間隔は乳幼児の胴体幅がである１８０ｍｍ前後が適切である。
【００１６】
そこで、このような拘束用ベルト５１、５２のベッド本体３を持つ壁面固定乳幼児用ベッド１を用いると、おむつ替え等がスムーズに行えるようになる理由を図２を用いて説明する。
図２は本発明による拘束用ベルトで乳幼児を拘束している状態を断面図で示すもので、同図において、拘束用ベルト５１と５２とがそれぞれベッド本体３の幅方向中央部Ｏと幅方向端縁部Ｅ１、Ｅ２との中間領域Ｐ１、Ｐ２から出ており、この拘束用ベルト５１と５２とを用いて乳幼児Ｂをベッド本体３の中央部Ｏにバックル９で固定している。
このようにすることによって、乳幼児Ｂの両脇の拘束用ベルト５１、５２とベッド本体３との間にできる空間Ｓ１、Ｓ２は図３の空間Ｓ１’、Ｓ２’と比べて非常に小さなものとなり、これでは乳幼児Ｂが空間Ｓ１又はＳ２の方向へ横移動や寝返りしようとしてももはや不可能であり、したがっておむつ替え等がスムーズに行えるようになる。
【００１７】
次に、拘束用ベルト５１と５２の一方（図では５２）をベッド本体３の幅方向中央部Ｏと幅方向端縁部Ｅ２との中間領域Ｐ２から伸縮可能に引き出す本発明の第２の実施の形態による簡単な伸縮自在構成について図４を用いて説明する。図４（ａ）は乳幼児をベッド本体３の上に拘束している状態を腹部付近の断面で示し、図４（ｂ）は図４（ａ）をベッド本体３の裏側から見た図を示している。
同図において、拘束用ベルト５１はベッド本体３の幅方向中央部Ｏと幅方向端縁部Ｅ１との中間領域Ｐ１に開けられた開口部３５から出ており、一端はベッド本体３の裏側で固定され、他端にはバックル９１が固定されている。
一方、拘束用ベルト５２はベッド本体３の幅方向中央部Ｏと幅方向端縁部Ｅ２との中間領域Ｐ２に開けられた開口部３６から出ており、一端はベッド本体３の裏側で固定され、他端はバックル９２が固定されている。そして、ベッド本体３の裏側において、拘束用ベルト５２は吊り輪部材７２の開口部７２ａを通って中間領域Ｐ２に延びている。引っ張りバネ７はその一端が吊り輪部材７２に固定され、他端がベッド本体３の裏側端縁部近辺７１に固定されている。これによって吊り輪部材７２は引っ張りバネ７で常時幅方向端縁部Ｅ１の方向へ牽引されることとなり、拘束用ベルト５２は常時ベッド本体３の裏側へ牽引されている。
また、開口部３５と開口部３６との間隔は乳幼児の胴体幅程度（略１８０ｍｍ）となっている。
したがって、この拘束用ベルト５２を用いて乳幼児Ｂをベッド本体３に拘束すると、乳幼児Ｂには常時ベッド本体３へ押さえ付ける力が働き、乳幼児Ｂの横移動や寝返りを一層困難にし、したがっておむつ替え等が一層スムーズに行えるようになる。
【００１８】
図５は本発明の第３の実施の形態を示すもので、ベッド本体３の斜視図である。
同図において、図４で説明した拘束用ベルト５１、５２がそれぞれベッド本体３の幅方向中央部と幅方向端縁部との中間領域から出ている。
このようなベッド本体３を幅方向両端縁部３１、３１に対して幅方向中央部が窪むように湾曲（半径Ｒ）を形成して成るものである。このような構成によって、乳幼児には常時ベッド本体３の幅方向中央部へ向かう力が働くので、本発明の拘束用ベルト５１、５２の作用との相乗効果によって、ますます乳幼児の横移動や寝返りを困難にし、したがっておむつ替え等が一層スムーズに行えるようになる。
【００１９】
図５はさらに本発明の第４の実施の形態をも示すものである。
同図において、ベッド本体３の長さ方向端縁部３３、３４（図では３４）付近にスポンジ、ウレタン材等のクッション性部材３７を設けたのが特徴である。
ベッドの中央部へ拘束された乳幼児は、左右方向への移動が阻止されるばかりか、頭部方向への移動もクッション性部材３７によって柔らかく阻止されるので、例え乳幼児が強く足で蹴り上げても頭はクッション性部材３７につっかえて上へ進めず、したがってむおむつ替えがスムーズに行えるようになる。
また、クッション性部材を用いているので、使用時には頭部の保護になり、非使用時にはベッド本体を畳むとき自動的に収縮するので、折り畳んでベッド全体を小型化することに何の支障も来さない効果がある。
【００２０】
図６は本発明の第５の実施の形態を示すもので、図４のクッション性部材３７に替わる拘束手段を用いたものである。図６（ａ）は拘束手段の非展開状態を示し、図６（ｂ）は拘束手段の展開状態を示している。
同図において、３がベッド本体であり、３８が拘束手段である。拘束手段３８は蝶番３９によってベッド本体３の上に展開可能に取り付けられている。
ベッド本体３の不使用時には、図６（ａ）のように拘束手段３８を蝶番３９によって折り畳み、ベッド本体３上に伏せておく。これによって拘束手段３８の丈Ｈ１が低くなり、図５の湾曲（ア−ル）形成によるベッド本体３の幅方向中央部と幅方向端縁部３１、３２との高低差の範囲内になり、折り畳んでベッド全体を小型化することに何の支障も来さない。
また、ベッド本体３の使用時には、図６（ｂ）のように拘束手段３８を蝶番３９によってベッド本体３上に立てればよい。これによって拘束手段３８の丈Ｈ２が十分に高くなり、乳幼児の頭部の上方への移動を阻止する十分な高さが得られる。拘束手段３８としては、頭部にとって柔らかい材質のものが使用される。
これによって、ベッドの中央部へ拘束された乳幼児は左右方向への移動が阻止されるばかりか、この直立状態の拘束手段３８によって頭部方向への移動も阻止されるので、例え乳幼児が強く足で蹴り上げても頭が拘束手段３８につっかえて上へ進めず、したがってむおむつ替えがスムーズに行えるようになる。
【００２１】
本発明は、もちろん以上のものに限定されるものではない。
例えば、拘束用ベルトは左右２本用いていたが、１本の拘束用ベルトであってもよく、その場合、その拘束用ベルトの先端に係止具（フック、磁石、ファスナ等）を取り付け、ベッド本体３の上にその係止具に対応する被係止具を取り付けておくようにする。
拘束用ベルトの取り出し開口部は２個であったが、３個以上設けて、乳幼児の成長と共に拘束用ベルトの取り出し開口部を外側に移すようにしてもよい。
拘束用ベルトのテンション付与は拘束用ベルト全体又はその一部をゴム製に置き換えることで、簡単に実現することも可能である。
【００２２】
【発明の効果】
以上のように、本発明による展開可能な壁面固定乳幼児用ベッドを用いると、ベッド全体を小型化することができると共に、乳幼児をベッド上に確実に固定・拘束できるので、むおむつ替え等がスムーズに行えるようになる。
【図面の簡単な説明】
【図１】本発明による展開可能な壁面固定乳幼児用ベッドの使用時の斜視図である。
【図２】図１のベッドの使用時の乳幼児拘束状態の断面概念図である。
【図３】図８のベッドの使用時の乳幼児拘束状態の断面概念図である。
【図４】本発明の第２の実施の形態を示す拘束用ベルトの簡潔な伸縮自在構成部の断面図である。
【図５】本発明の第３および第４の実施の形態を示すベッド本体の斜視図である。
【図６】本発明の第５の実施の形態を示すベッド本体の一部断面図である。
【図７】本出願人が先に開発した壁面固定乳幼児用ベッドの不使用（非展開）状態（ａ）と使用（展開）状態（ｂ）を表す斜視図である。
【図８】本出願人が先に開発した壁面固定乳幼児用ベッドの斜視図である。
【図９】図８の壁面固定乳幼児用ベッドの一部断面正面図である。
【図１０】図８の壁面固定乳幼児用ベッドの分解斜視図である。
【図１１】図１０のヒンジ部の分解斜視図である。
【図１２】図８の壁面固定乳幼児用ベッドの展開状態（ａ）と非展開状態（ｂ）におけるヒンジ部付近の拡大断面図である。
【符号の説明】
１  展開可能な壁面固定乳幼児用ベッド
２  乳幼児用ベッド
３  ベッド本体
３１、３２  幅方向両端縁部
３３、３４  長さ方向両端縁部
３５、３６  開口部
３７  クッション性部材
３８  拘束手段
３９  蝶番
４  ベッド基台
５  拘束用ベルト
５１、５２  各拘束用ベルト
６  壁面固定用枠
７  引っ張りバネ
７１  裏側端縁部近辺
７２  吊り輪部材
７２ａ    吊り輪部材開口部
８  ヒンジ部
９  バックル
９１、９２  各バックル
Ｂ  乳幼児
Ｅ１，Ｅ２  幅方向端縁部
Ｈ１，Ｈ２  拘束手段の各丈
Ｌ１  移動可能距離
Ｏ  幅方向中央部
Ｐ１，Ｐ２  中間領域
Ｓ１，Ｓ２  乳幼児と拘束用ベルトとベッド本体との空間
【図１】
0004633237.tif 000002
【図２】
0004633237.tif 000003
【図３】
0004633237.tif 000004
【図４】
0004633237.tif 000005
【図５】
0004633237.tif 000006
【図６】
0004633237.tif 000007
【図７】
0004633237.tif 000008
【図８】
0004633237.tif 000009
【図９】
0004633237.tif 000010
【図１０】
0004633237.tif 000011
【図１１】
0004633237.tif 000012
【図１２】
0004633237.tif 000013